(57)【要約】      （修正有）【課題】散布される水滴による急冷を制御しヒーターエレメントの劣化を防止したヒーターエレメント及びそれを用いたサウナストーブを提供する。【解決手段】容器１１と、容器内に設置されたヒーターエレメント１２と、ヒーターエレメントと容器との間隙に充填されたサウナストーンと、を備え、ヒーターエレメントによって加熱されたサウナストーンに水滴を散布することによって、サウナ入浴に適した熱気を帯びた水蒸気を発生させるようにしたサウナストーブ１０であって、その外周に水滴の直接散布による急冷を防止するためのエレメントカバー１２ａが設けられている。【選択図】図１
0003218015.tif 000002
【実用新案登録請求の範囲】
【請求項１】
サウナストーブに充填されたサウナストーンを加熱するためのヒーターエレメントであって、
その外周にエレメントカバーが取り付けられていることを特徴とするサウナストーブ用電気式ヒーターエレメント。
【請求項２】
容器と、
前記容器内に設置された電気式ヒーターエレメントと、
前記電気式ヒーターエレメントと容器との間隙に充填されたサウナストーンと、
を備え、
前記電気式ヒーターエレメントによって加熱されたサウナストーンに水滴を散布することによって、
サウナ入浴に適した熱気を帯びた水蒸気を発生させるようにしたサウナストーブであって、
その外周にエレメントカバーが設けられていることを特徴とするサウナストーブ。
【考案の詳細な説明】
【技術分野】
【０００１】
本考案は、業務用サウナ室、家庭用サウナ、ホテルサウナ、フィットネスなどで用いられるサウナストーブに用いる電気式ヒーターエレメント及びそれを用いたサウナストーブに関する。
【背景技術】
【０００２】
従来から、サウナ浴は、熱気を直接体中に伝えて、血行促進、ストレスや疲労の回復、全身美容といった優れた効能と効果を発揮することができるのであり、健康促進に広く用いられている。
このサウナ浴に用いられる従来のサウナストーブは、例えば特許文献１に見られるように、
サウナストーブ本体内に設置した熱伝導管の上に多数のサウナストーンを積載して、熱伝導管によって加熱されたサウナストーンに手桶等で水を掛けることによって、熱気を帯びた高温の蒸気を発生させるように構成されている。
【先行技術文献】
【特許文献】
【０００３】
【特許文献１】特開平１１−２２１２６５号公報
【考案の概要】
【考案が解決しようとする課題】
【０００４】
従来のサウナストーブは、耐熱の熱伝導管を用いてはいるが、多数のサウナストーンを加熱するために高温に加熱され、しかも水滴を上方から散布される雰囲気に設置されているので、熱伝導管の外周が劣化し、熱伝導管交換のメンテナンスが増しているという問題点がある。
また、サウナストーンに散布された余剰な水滴が間接的にヒーターエレメントに当たり、ヒーターエレメントを劣化させるという問題点もある。
そこで本考案の技術的課題は、高温に加熱されるヒーターエレメント（熱伝導管に該当）の外周に直接水滴が散布されることによるヒーターエレメントの劣化を軽減することにある。
すなわち、ヒーターエレメントの外周にエレメントカバーを設け散布される水滴による急冷を抑制した電気式ヒーターエレメント及びそれを用いたサウナストーブを提供することである。
【課題を解決するための手段】
【０００５】
（１）本考案に係るサウナストーブ用電気式ヒーターエレメントは、
サウナストーブに充填されたサウナストーンを加熱するための電気式ヒーターエレメントであって、
その外周にエレメントカバーが取り付けられていることを特徴とする。
（２）本考案に係るサウナストーブは、
容器と、前記容器内に設置された電気式ヒーターエレメントと、前記電気式ヒーターエレメントと容器との間隙に充填されたサウナストーンと、を備え、
前記電気式ヒーターエレメントによって加熱されたサウナストーンに水滴を散布することによって、サウナ入浴に適した熱気を帯びた水蒸気を発生させるようにしたサウナストーブであって、その外周にエレメントカバーが設けられていることを特徴とする。
【考案の効果】
【０００６】
本考案に係る電気式ヒーターエレメント及びサウナストーブによれば、サウナストーンを加熱する電気式ヒーターエレメントにカバーが設けられているので、散布される水滴による急冷を制御し電気式ヒーターエレメントの劣化を防止することができる。
これにより、電気式ヒーターエレメントの寿命が延び、電気式ヒーターエレメントの交換の時期を延長することができる。
これにより、メンテナンスの回数が減り、長時間の連続運転が可能になる。
【図面の簡単な説明】
【０００７】
【図１】３本の電気式ヒーターエレメントを組み込んだ例を容器に収納された状態を示す正面図である。
【図２】６本の電気式ヒーターエレメントを組み込んだ例を斜め上方から見た斜視図である。
【図３】他の実施形態の電気式ヒーターエレメントを示す正面図であり、（ａ）はエレメントカバー１２ａを除去した状態、（ｂ）はエレメントカバー１２ａとして蛇腹管を用いた例である。
【図４】容器１１と電気式ヒーターエレメント１２とを分離した状態を示す斜視図であり、（ａ）は電気式ヒーターエレメント１２が収納される容器１１、（ｂ）は容器１１に収納される前の電気式ヒーターエレメント１２である。
【図５】実施形態の電気式ヒーターエレメント１２を容器１１に収納し、さらに容器１１と電気式ヒーターエレメント１２との隙間１３にサウナストーン１４を充填した状態のサウナストーブ１０を示す斜視図である。
【図６】実施形態のサウナストーブ１０をサウナ室２０に設置して上方から散水装置２１により水滴を散布して、サウナストーブ１０から水蒸気を発生させている状態を示す側面図である。
【図７】実施形態のサウナストーブ１０をサウナ室２０に設置して、手動で水滴を散布して、水蒸気を発生させている状態を示す側面図である。
【考案を実施するための形態】
【０００８】
以下に、上述した本考案に係る電気式ヒーターエレメント及びサウナストーブの実施形態を図面を用いて説明する。
図１は、３本の電気式ヒーターエレメント１２（エレメントカバー１２ａ付き）を組み込んだ例を容器１１に収納された状態を示す正面図である。
図２は、６本の電気式ヒーターエレメント１２（エレメントカバー１２ａ付き）を組み込んだ例を斜め上方から見た斜視図である。
図３は、他の実施形態の電気式ヒーターエレメント１２を示す正面図であり、
（ａ）はエレメントカバー１２ａを除去した状態、
（ｂ）はエレメントカバー１２ａとして蛇腹管を用いた例である。
図４は、容器１１と電気式ヒーターエレメント１２とを分離した状態を示す斜視図であり、
（ａ）は電気式ヒーターエレメント１２が収納される容器１１、
（ｂ）は容器１１に収納される前の電気式ヒーターエレメント１２（図では、エレメントカバー１２ａがない状態の４本が表示されている）である。
図５は、実施形態の電気式ヒーターエレメント１２を容器１１に収納し、さらに容器１１と電気式ヒーターエレメント１２との隙間１３にサウナストーン１４を充填した状態のサウナストーブ１０を示す斜視図である。
【０００９】
図１〜図３に示すように、本考案の電気式ヒーターエレメント１２は、サウナストーン１４を加熱するために、サウナストーブ１０に収納されている。
また、電気式ヒーターエレメント１２の外周にはエレメントカバー１２ａが取り付けられている。
また、図４〜図５に示すように、本考案のサウナストーブ１０は、容器１１と、前記容器１１内に設置されの外周にエレメントカバーが取り付けられてた電気式ヒーターエレメント１２と、前記電気式ヒーターエレメント１２と容器１１との間隙に充填されたサウナストーン１４と、を備えている。
そして、前記電気式ヒーターエレメント１２によって加熱されたサウナストーン１４に水滴を散布することによって、サウナ入浴に適した熱気を帯びた水蒸気を発生させることができる。
【００１０】
＜電気式ヒーターエレメント１２＞
電気式ヒーターエレメント１２は、１ｋＷ（１本当たり）から５ｋＷ（１本当たり）程度の電気を導電性（例えば、ニクロム線）の発熱体に流し熱エネルギーに変換して、５００〜８００℃程度に昇温させて放散させる機構のものであり、発熱体保護のために、耐熱性の金属管で覆われている。
耐熱性の金属管としては、例えば太いチューブ状のステンレス３０４や３１６などのニッケルクロム合金、チタン等が挙げられる。
実施形態では、１．８ｋＷ（１本当たり）のヒーターエレメントを６本、ヒーターエレメント支持体上に逆Ｕ字状に立設して構成している（図１参照）。
【００１１】
＜ヒーターカバー１２ａ＞
しかしながら、電気式ヒーターエレメント１２は高温に熱せられるうえに、水蒸気を発生させるために、容器１１中にあって多量の水滴を散布される腐食性雰囲気に置かれている。
すなわち、ヒーターエレメントは繰り返し加熱冷却され、高温の水蒸気雰囲気に晒されているのである。
そこで、本考案の電気式ヒーターエレメント１２は、その外周にエレメントカバー１２ａが取り付けられている。
エレメントカバー１２ａとしては、発熱体保護用の耐熱性の金属管と同じ材質、例えばステンレス３０４や３１６などのニッケルクロム合金、チタン等が挙げられる。
また、形状としては、図２に示すように、０．１〜２ｍｍ程度の板状のものをヒーターエレメントの外周の形状に沿って加工して、ヒーターエレメントの外周に取り付けるようにする。
なお、図３に示すように、蛇腹管の形状のエレメントカバー１２ａで覆うことも好ましい。
【００１２】
＜サウナストーブ１０＞
本考案のサウナストーブ１０は、図４，図５に示すように、筒状の容器１１の内部に充填されたサウナストーン１４（図５参照）を加熱するための電気式ヒーターエレメント１２が収納配設され、容器１１と電気式ヒーターエレメント１２との間隙１３には、その間隙１３を埋めるようにサウナストーン１４が充填されている。
容器１１の下部には、図示はしていないが、電気式ヒーターエレメント１２に通電するための電源コードや、電気式ヒーターエレメント１２を保持するための保持ホルダーが設けられている。
なお、図５では、電気式ヒーターエレメント１２は充填されたサウナストーン１４で隠れた状態である。
【００１３】
＜サウナストーン１４＞
サウナストーン１４としては、石やセラミックスが挙げられる。
石としては、例えば香花石と呼ばれるものが使用される。
香花石とはマグマが氷河で冷やされ長期間かけて硬化した火成岩の一種で、フィンランド産のものが多く使用されている。
香花石は密度が高く変形しにくく、加熱冷却の繰り返しに強く、加熱されると遠赤外線を発生するという特質を有する。
サウナストーン１４の大きさとしては５〜１０ｃｍ程度のものを、１００〜４００ｋｇ容器１１に充填して使用する。
【００１４】
図６は、実施形態のサウナストーブ１０をサウナ室２０に設置して上方から散水装置２１により水滴を散布して、サウナストーブ１０から高温の水蒸気を発生させている状態を示す側面図である。
サウナ室２０には、隔壁２２で仕切られた小室２３内にサウナストーブ１０が設置されている。
小室２３の上方には散水装置２１が設置されている。
図６に示すように、間隙１３に充填され加熱されたサウナストーン１４に、上方の散水装置２１から水滴が散布されると、サウナストーブ１０からは高温の水蒸気が生成され、サウナ室２０に流入するようになっている。
熱せられたサウナストーン１４によって生成された高温の水蒸気が、サウナ室２０をマイナスイオンでいっぱいの快適空間にする。
さらに、人体の発汗を促し、人体を素早く暖めることができる。
【００１５】
図７は、実施形態のサウナストーブ１０をサウナ室２０に設置して、手動（ひしゃく）で水滴を散布して、水蒸気を発生させている状態を示す側面図である。
図６のように上方に散水装置２１を設置するかわりに、手動で水滴を散布してサウナストーブ１０からは高温の水蒸気を生成させることもできる。
【００１６】
＜実施例の効果＞
なお、本考案の電気式ヒーターエレメントを用いたサウナストーブの実施例において、
サウナストーブの１日の運転サイクルを、２０時間起動し（サウナストーンの加熱とともに水滴散布を同時に行った）、４時間メンテナンスのため運転休止とした結果、ヒーターカバーによって電気式ヒーターエレメントの劣化が抑制され、寿命が２〜３倍伸びた。
【符号の説明】
【００１７】
１０  サウナストーブ
１１  容器
１２  電気式ヒーターエレメント
１２ａ  エレメントカバー
１３  間隙
１４  サウナストーン
２０  サウナ室
２１  散水装置
２２  隔壁
２３  小室
【図１】
0003218015.tif 000003
【図２】
0003218015.tif 000004
【図３】
0003218015.tif 000005
【図４】
0003218015.tif 000006
【図５】
0003218015.tif 000007
【図６】
0003218015.tif 000008
【図７】
0003218015.tif 000009